(57)【要約】【課題】  優れる使用安定性を有するステップツールを提供する。【解決手段】  支持フレーム（１０）と、補助フレーム（１１）と、踏み台（１２）と、摺動ロッド（１３）とを備えるステップツールであって、  支持フレーム（１０）に複数の掛けロッド（１００）が設けられ、補助フレーム（１１）の上端が支持フレーム（１０）上端の付近に枢着されると共に、上端の付近に回動可能の係止フック（１５）を有する枢軸（１４）が設けられ、枢軸（１４）に摺動部材（１６）が設けられると共に、摺動部材（１６）に摺動可能の摺動ロッド（１３）が設けられ、  前記踏み台（１２）は一端に摺動ロッド（１３）と溶着される回動可能の回動軸（１２０）が設けられると共に、他端の下部に位置決め溝（１２１）が形成されることを特徴とする。【選択図】  図１
0003103562.tif 000002
【実用新案登録請求の範囲】
【請求項１】
支持フレームと、補助フレームと、踏み台と、摺動ロッドとを備えるステップツールであって、
支持フレームに複数の掛けロッドが設けられ、補助フレームの上端が支持フレーム上端の付近に枢着されると共に、上端の付近に回動可能の係止フックを有する枢軸が設けられ、枢軸に摺動部材が設けられると共に、摺動部材に摺動可能の摺動ロッドが設けられ、
前記踏み台は一端に摺動ロッドと溶着される回動可能の回動軸が設けられると共に、他端の下部に位置決め溝が形成されることを特徴とするステップツール。
【請求項２】
前記枢軸に設置される回動可能の係止フックは踏み台の回動軸に係止するフック部が形成されると共に、末端に係脱するための凹部が形成されることを特徴とする請求項１に記載のステップツール。
【考案の詳細な説明】
【技術分野】
【０００１】
本考案は、特に優れる使用安定性を有するステップツールに関するものである。
【背景技術】
【０００２】
高所が苦手な人はよくステップツールを使用し、該ステップツールによって高所にも手が簡単に届くので、物を取るには非常に便利である。又、従来のステップツールは収納の利便性を高めるために、折畳み式構造により、キッチンや部屋の隙間に収納することができる。
【０００３】
図９に示すように、従来のステップツールはコ字形の支持フレーム（９０）及び補助フレーム（９１）と複数の踏み台（９２）を有し、補助フレーム（９１）の開口端が支持フレーム（９０）の封閉端の付近に枢着されると共に、開口端の付近に摺動溝（９４）を有する摺動ロッド（９３）が枢着され、踏み台（９２）の一側が支持フレーム（９０）に枢着されると共に、他側が摺動ロッド（９３）に枢着され、又、その一つの踏み台（９２）が摺動溝（９４）に摺接される。
【考案の開示】
【考案が解決しようとする課題】
【０００４】
しかしながら、上記のステップツールを使用する場合、支持フレーム（９０）、補助フレーム（９１）及び踏み台（９２）を互いに固定する手段が設置されていないため、補助フレーム（９１）に外力が衝撃される場合、ステップツールは折畳んでしまうので、使用安定性が悪い。
【０００５】
そこで、案出されたのが本考案であって、優れる使用安定性を有するステップツールを提供することを目的としている。
【課題を解決するための手段】
【０００６】
本願の請求項１の考案は、支持フレーム（１０）と、補助フレーム（１１）と、踏み台（１２）と、摺動ロッド（１３）とを備えるステップツールであって、
支持フレーム（１０）に複数の掛けロッド（１００）が設けられ、補助フレーム（１１）の上端が支持フレーム（１０）上端の付近に枢着されると共に、上端の付近に回動可能の係止フック（１５）を有する枢軸（１４）が設けられ、枢軸（１４）に摺動部材（１６）が設けられると共に、摺動部材（１６）に摺動可能の摺動ロッド（１３）が設けられ、
前記踏み台（１２）は一端に摺動ロッド（１３）と溶着される回動可能の回動軸（１２０）が設けられると共に、他端の下部に位置決め溝（１２１）が形成されることを特徴とするステップツール及び、
本願の請求項２の考案は、前記枢軸（１４）に設置される回動可能の係止フック（１５）は踏み台（１２）の回動軸（１２０）に係止するフック部（１５０）が形成されると共に、末端に係脱するための凹部（１５１）が形成されることを特徴とする請求項１に記載のステップツール、を提供する。
【考案の効果】
【０００７】
本考案は上記の課題を解決するものであり、補助フレームの枢軸に設置される係止フックと踏み台の回動軸と係止することにより、使用安定性を向上することができるので、使用中、補助フレームに外力が衝撃されても、ステップツールを折畳むにより危険を発生することを防止できる。
【考案を実施するための最良の形態】
【０００８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００９】
図１は本考案に係るステップツールの一部斜視図であり、図２は本考案に係るステップツールの使用状態を示す側面図であり、図３は本考案に係るステップツールの使用状態を示す側面図であり、図４は本考案に係るステップツールの使用状態を示す一部拡大側面図であり、図５は本考案に係るステップツールの係脱状態を示す一部拡大側面図であり、図６は本考案に係るステップツールの係脱状態を示す側面図であり、図７は本考案に係るステップツールの収納状態を示す側面図であり、図８は本考案に係るステップツールの他の実施例を示す側面図である。
【００１０】
図１乃至図３に示すように、本考案に係るステップツールは支持フレーム（１０）と、補助フレーム（１１）と、踏み台（１２）と、摺動ロッド（１３）とを備え、支持フレーム（１０）に複数の掛けロッド（１００）が設けられ、補助フレーム（１１）の上端が支持フレーム（１０）上端の付近に枢着されると共に、上端の付近に回動可能の係止フック（１５）を有する枢軸（１４）が設けられ、枢軸（１４）に摺動部材（１６）が設けられると共に、摺動部材（１６）に摺動可能の摺動ロッド（１３）が設けられる。
【００１１】
前記踏み台（１２）は一端に摺動ロッド（１３）と溶着される回動可能の回動軸（１２０）が設けられると共に、他端の下部に位置決め溝（１２１）が形成される。
【００１２】
又、前記枢軸（１４）に設置される回動可能の係止フック（１５）は踏み台（１２）の回動軸（１２０）に係止するフック部（１５０）が形成されると共に、末端に係脱するための凹部（１５１）が形成される。
【００１３】
又、図１乃至図４に示すように、本考案に係るステップツールを使用する場合、補助フレーム（１１）と支持フレーム（１０）が互いに展開されると共に、踏み台（１２）は位置決め溝（１２１）によって支持フレーム（１０）の掛けロッド（１００）に係止され、その一つの踏み台（１２）を摺動部材（１６）と当接するまで摺動ロッド（１３）が摺動部材（１６）に沿って下方へ移動し、又、枢軸（１４）における係止フック（１５）が踏み台（１２）の回動軸（１２０）に係止されることにより、補助フレーム（１１）と踏み台（１２）と支持フレーム（１０）との相対位置を固定するので、使用安定性が向上できる。
【００１４】
図５乃至図７に示すように、本考案に係るステップツールを収納する場合、指が係止フック（１５）の凹部（１５１）を引くことで係止フック（１５）を回動させることにより、係止フック（１５）と回動軸（１２０）が係脱され、踏み台（１２）を回動することで支持フレーム（１０）の掛けロッド（１００）が踏み台（１２）の位置決め溝（１２１）から係脱され、補助フレーム（１１）を支持フレーム（１０）へ向かって折畳むと共に、踏み台（１２）を補助フレーム（１１）へ回動することにより、ステップツールを楽に収納できる。
【００１５】
更に、図２に示すように、本考案に係るステップツールの踏み台（１２）の数は二つであり、又、図８に示すように、踏み台（１２）の数は三つであってもよい。
【図面の簡単な説明】
【００１６】
【図１】本考案に係るステップツールの一部斜視図である。
【図２】本考案に係るステップツールの使用状態を示す側面図である。
【図３】本考案に係るステップツールの使用状態を示す側面図である。
【図４】本考案に係るステップツールの使用状態を示す一部拡大側面図である。
【図５】本考案に係るステップツールの係脱状態を示す一部拡大側面図である。
【図６】本考案に係るステップツールの係脱状態を示す側面図である。
【図７】本考案に係るステップツールの収納状態を示す側面図である。
【図８】本考案に係るステップツールの他の実施例を示す側面図である。
【図９】従来のステップツールを示す斜視図である。
【符号の説明】
【００１７】
１０        支持フレーム
１００      掛けロッド
１１        補助フレーム
１２        踏み台
１２０      回動軸
１２１      位置決め溝
１３        摺動ロッド
１４        枢軸
１５        係止フック
１５０      フック部
１５１      凹部
１６        摺動部材
９０        支持フレーム
９１        補助フレーム
９２        踏み台
９３        摺動ロッド
９４        摺動溝
【図１】
0003103562.tif 000003
【図２】
0003103562.tif 000004
【図３】
0003103562.tif 000005
【図４】
0003103562.tif 000006
【図５】
0003103562.tif 000007
【図６】
0003103562.tif 000008
【図７】
0003103562.tif 000009
【図８】
0003103562.tif 000010
【図９】
0003103562.tif 000011